(57)【要約】【課題】ケーブルテレビシステムでの不正視聴を防止する従来の方法では、不正な使用者に対して警告映像を視聴させようとしてもできなかった。【解決手段】副契約映像受信装置１３がネットワーク１５によって１台の主契約映像受信装置１２に接続する構成とする。そして、副契約映像受信装置１３は、ネットワーク１５における主契約映像受信装置１２との接続状態を検出するネットワーク接続検出ユニット３２と、映像信号を受信する映像受信チューナユニット３４と、映像受信チューナユニット３４が映像信号を受信する際に、ネットワーク接続検出ユニット３２が主契約映像受信装置１２との未接続を検出した場合には、限定された所定のチャンネルの映像信号を映像受信チューナユニット３４に受信させる映像受信制御ユニット３３と、表示用信号を出力する表示信号出力ユニット３８とを備えている。【選択図】図２
2008167324.tif 000002
【特許請求の範囲】
【請求項１】
１台の主契約映像受信装置と、少なくとも１台の副契約映像受信装置と、前記主契約映像受信装置および前記副契約映像受信装置を接続するネットワークとを備えた映像受信システムであって、
前記副契約映像受信装置は、
前記ネットワークにおける前記主契約映像受信装置との接続状態を検出するネットワーク接続検出ユニットと、
映像信号を受信する映像受信チューナユニットと、
前記映像受信チューナユニットが前記映像信号を受信する際に、前記ネットワーク接続検出ユニットが前記主契約映像受信装置との未接続を検出した場合には、限定された所定のチャンネルの映像信号を前記映像受信チューナユニットに受信させる、映像受信制御ユニットと、
前記映像受信チューナユニットが受信した前記映像信号に対応する表示用信号を出力する表示信号出力ユニットとを有する、映像受信システム。
【請求項２】
前記主契約映像受信装置は、
固有の第１の識別情報を予め保持している第１の識別情報保持ユニットと、
前記ネットワークを介した前記副契約映像受信装置からの、前記第１の識別情報の送信要求に応じて、前記第１の識別情報を送信する第１の識別情報送信ユニットとを有し、
前記副契約映像受信装置は、
前記第１の識別情報と同じ値を持つ固有の第２の識別情報を予め保持している第２の識別情報保持ユニットと、
前記ネットワーク接続検出ユニットが前記主契約映像受信装置との接続を検出した際に、前記主契約映像受信装置に前記第１の識別情報の前記送信要求を送信する識別情報要求ユニットと、
前記主契約映像受信装置から送信されてくる前記第１の識別情報を受信する識別情報受信ユニットとを有し、
前記映像受信制御ユニットは、前記ネットワーク接続検出ユニットが前記主契約映像受信装置との接続を検出していても、前記主契約映像受信装置から受信した前記第１の識別情報と、前記第２の識別情報保持ユニットに予め保持している前記第２の識別情報とが一致しなかった場合には、限定された所定のチャンネルの映像信号を前記映像受信チューナユニットに受信させる、請求項１に記載の映像受信システム。
【請求項３】
前記主契約映像受信装置は、
固有の第１の識別情報を予め保持している第１の識別情報保持ユニットと、
前記ネットワークを介して前記副契約映像受信装置から受信した第２の識別情報が、前記第１の識別情報保持ユニットに予め保持している前記第１の識別情報と一致しているか否かを示す判定情報を、前記副契約映像受信装置に送信する判定情報送信ユニットとを有し、
前記副契約映像受信装置は、
前記第１の識別情報と同じ値を持つ固有の前記第２の識別情報を予め保持している第２の識別情報保持ユニットと、
前記ネットワーク接続検出ユニットが前記主契約映像受信装置との接続を検出した際に、前記主契約映像受信装置に前記第２の識別情報を送信する第２の識別情報送信ユニットと、
前記主契約映像受信装置から送信されてくる前記判定情報を受信する判定情報受信ユニットとを有し、
前記映像受信制御ユニットは、前記ネットワーク接続検出ユニットが前記主契約映像受信装置との接続を検出していても、前記主契約映像受信装置から受信した前記判定情報が、前記第２の識別情報と前記第１の識別情報との不一致を示す場合には、限定された所定のチャンネルの映像信号を前記映像受信チューナユニットに受信させる、請求項１に記載の映像受信システム。
【請求項４】
前記主契約映像受信装置と前記副契約映像受信装置は、同じ構成の映像受信装置であり、前記主契約映像受信装置は、前記副契約映像受信装置の機能を有し、前記副契約映像受信装置は、前記主契約映像受信装置の機能を有している、請求項１に記載の映像受信システム。
【請求項５】
前記ネットワークは、前記主契約映像受信装置および前記副契約映像受信装置に接続された前記映像信号を配信するための配線を利用するネットワークである、請求項１に記載の映像受信システム。
【請求項６】
主契約映像受信装置に、ネットワークを介して接続される副契約映像受信装置であって、
前記ネットワークにおける前記主契約映像受信装置との接続状態を検出するネットワーク接続検出ユニットと、
映像信号を受信する映像受信チューナユニットと、
前記映像受信チューナユニットが前記映像信号を受信する際に、前記ネットワーク接続検出ユニットが前記主契約映像受信装置との未接続を検出した場合には、限定された所定のチャンネルの映像信号を前記映像受信チューナユニットに受信させる、映像受信制御ユニットと、
前記映像受信チューナユニットが受信した前記映像信号に対応する表示用信号を出力する表示信号出力ユニットとを備えた、副契約映像受信装置。
【請求項７】
前記主契約映像受信装置に予め保持されている固有の第１の識別情報と同じ値を持つ固有の第２の識別情報を予め保持している第２の識別情報保持ユニットと、
前記ネットワーク接続検出ユニットが前記主契約映像受信装置との接続を検出した際に、前記主契約映像受信装置に前記第１の識別情報の送信要求を送信する識別情報要求ユニットと、
前記主契約映像受信装置から送信されてくる前記第１の識別情報を受信する識別情報受信ユニットとを備え、
前記映像受信制御ユニットは、前記ネットワーク接続検出ユニットが前記主契約映像受信装置との接続を検出していても、前記主契約映像受信装置から受信した前記第１の識別情報と、前記第２の識別情報保持ユニットに予め保持している前記第２の識別情報とが一致しなかった場合には、限定された所定のチャンネルの映像信号を前記映像受信チューナユニットに受信させる、請求項６に記載の副契約映像受信装置。
【請求項８】
前記主契約映像受信装置に予め保持されている固有の第１の識別情報と同じ値を持つ固有の第２の識別情報を予め保持している第２の識別情報保持ユニットと、
前記ネットワーク接続検出ユニットが前記主契約映像受信装置との接続を検出した際に、前記主契約映像受信装置に前記第２の識別情報を送信する第２の識別情報送信ユニットと、
前記主契約映像受信装置が、受信した前記第２の識別情報と、予め保持している前記第１の識別情報とが一致しているか否かを判定して送信してくる判定情報を受信する判定情報受信ユニットとを備え、
前記映像制御ユニットは、前記ネットワーク接続検出ユニットが前記主契約映像受信装置との接続を検出していても、前記判定情報が、前記第２の識別情報と前記第１の識別情報との不一致を示す場合には、限定された所定のチャンネルの映像信号を前記映像受信チューナユニットに受信させる、請求項６に記載の副契約映像受信装置。
【請求項９】
前記映像受信チューナユニットが受信する前記映像信号は、暗号化されており、
前記映像受信チューナユニットは、前記映像信号を映像デコードする映像デコードユニットを有している、請求項６に記載の副契約映像受信装置。
【請求項１０】
前記副契約映像受信装置の電源のオン／オフ状態を検出する電源状態検出ユニットを備え、
前記映像受信制御ユニットは、前記映像受信チューナユニットが前記映像信号を受信する際に、前記電源状態検出ユニットが前記電源のオン状態を検出し、かつ前記ネットワーク接続検出ユニットが前記主契約映像受信装置との未接続を検出した場合に、前記限定された所定のチャンネルの映像信号を前記映像受信チューナユニットに受信させる、請求項６に記載の副契約映像受信装置。
【請求項１１】
前記限定された所定のチャンネルの映像信号によって表示される映像は、正常な使用を促す警告映像である、請求項６に記載の副契約映像受信装置。
【請求項１２】
１台の主契約映像受信装置と、少なくとも１台の副契約映像受信装置と、前記主契約映像受信装置および前記副契約映像受信装置を接続するネットワークとを備えた映像受信システムを利用した映像受信方法であって、
前記副契約映像受信装置が、前記ネットワークを介して前記主契約映像受信装置に対して接続しているかどうかを、前記副契約映像受信装置によって検出するネットワーク接続検出ステップと、
前記副契約映像受信装置が、前記映像信号を受信する際に前記ネットワークで前記主契約映像受信装置に対して未接続の場合には、前記副契約映像受信装置によって、限定された所定のチャンネルの映像信号を受信する副契約受信ステップと、
前記副契約映像受信装置によって、前記限定された所定のチャンネルの映像信号に対応する表示用信号を出力する副契約出力ステップとを備えた、映像受信方法。
【請求項１３】
請求項６に記載の副契約映像受信装置の、前記ネットワーク接続検出ユニットが前記主契約映像受信装置との未接続を検出した場合には、限定された所定のチャンネルの映像信号を前記映像受信チューナユニットに受信させる前記映像受信制御ユニットとしてコンピュータを機能させるためのプログラム。
【請求項１４】
請求項２に記載の映像受信システムの、前記副契約映像受信装置からの前記第１の識別情報の要求に応じて前記第１の識別情報を送信する前記第１の識別情報送信ユニット、前記ネットワーク接続検出ユニットが前記主契約映像受信装置との接続を検出した際に、前記主契約映像受信装置に前記第１の識別情報の送信要求を送信する前記識別情報要求ユニット、前記ネットワーク接続検出ユニットが前記主契約映像受信装置との接続を検出していても、前記第１の識別情報と前記第２の識別情報とが一致しなかった場合には限定された所定のチャンネルの映像信号を前記映像受信チューナユニットに受信させる前記映像受信制御ユニット、としてコンピュータを機能させるためのプログラム。
【請求項１５】
請求項３に記載の映像受信システムの、前記第２の識別情報と前記第１の識別情報とが一致しているか否かを示す判定情報を前記副契約映像受信装置に送信する前記判定情報送信ユニット、前記ネットワーク接続検出ユニットが前記主契約映像受信装置との接続を検出した際に、前記主契約映像受信装置に前記第２の識別情報を送信する前記第２の識別情報送信ユニット、前記ネットワーク接続検出ユニットが前記主契約映像受信装置との接続を検出していても、前記主契約映像受信装置から受信した前記判定情報が前記第２の識別情報と前記第１の識別情報との不一致を示す場合には、限定された所定のチャンネルの映像信号を前記映像受信チューナユニットに受信させる前記映像受信制御ユニット、としてコンピュータを機能させるためのプログラム。
【請求項１６】
請求項１３〜１５のいずれかに記載のプログラムを記録した記録媒体であって、コンピュータで利用可能な記録媒体。
【発明の詳細な説明】
【技術分野】
【０００１】
本発明は、複数契約された放送映像受信機能を持つ映像受信システム、副契約映像受信装置、映像受信方法等に関する。例えば、ケーブルテレビ局から放送される番組を受信する映像受信システム、副契約映像受信装置、映像受信方法等に関する。
【背景技術】
【０００２】
基本的にケーブルテレビの映像受信装置は、１加入契約者あたり１台の映像受信装置契約である。しかし、昨今、加入契約者がケーブルテレビ事業者の提供サービスの増加による多チャンネルを受信するため、あるいは複数の部屋での視聴のために複数台数を契約する加入契約者も増えつつあり、その際は、ケーブルテレビ事業者は所望される複数台数の映像受信装置を貸出し提供する。
【０００３】
複数台数の加入契約者は、映像受信装置の台数分の料金を課金されるため、加入契約者にとっては利用料金負担が大きい。ケーブルテレビ事業者によっては、複数台数の要望に対して割高感を解消するために、２台目以降の利用料金を低く抑える契約体系を設定するといった、複数台数の設置を行ないやすい加入の仕組みを採用している。
【０００４】
ケーブルテレビ事業者は、加入契約者宅に複数台数の映像受信装置を契約して貸出し、提供する場合に、通常は複数台数の同一構造の映像受信装置を貸出する。
【０００５】
そして、ケーブルテレビ回線上に伝送される放送映像は、ＣＡＳ（限定受信システム）で保護される受信方式である。
【０００６】
映像受信装置は、ケーブルテレビ回線上の変調された放送映像用の信号から加入契約者の所望する放送番組の周波数を選択して該当する放送番組を選局して放送映像を出力する受信チューナ部と、放送映像の暗号化を復号するＣＡＳ復号部と、復号された放送映像をデコード処理するための映像デコード処理部とで構成されるものである。
【０００７】
しかし、この同一構造の映像受信装置を、未契約者である隣の家に持って行き、隣の家のケーブルテレビ回線に接続すれば加入契約者宅以外でも放送映像の視聴ができてしまう。以下にその詳細について説明する。
【０００８】
図６は、従来のケーブルテレビ受信システムの接続構成図を示している。図６（ａ）は、正常な使用をしている場合の接続構成図を示している。
【０００９】
加入契約者宅１０１では、３台分の契約をしており、３台の同一構造の契約映像受信装置１０３、１０４、１０５をレンタル契約している。一方、加入契約者宅１０１の隣の未加入契約者宅１０２では、未契約であるが、加入契約者宅１０１と同一地域であるため、ケーブルテレビ局１００からのケーブルテレビ回線１０７が宅内に引き込まれている。
【００１０】
加入契約者宅１０１では、１台目の受信装置として、契約映像受信装置１０３に対しては通常の契約料を払い、契約映像受信装置１０４および１０５に対しては、２台目以降の受信装置なので、１台当たり契約映像受信装置１０３よりも安い契約料を払っている。
【００１１】
一方、未加入契約者宅１０２では、未契約なので契約映像受信装置を所有しておらず、ケーブルテレビ回線１０７に接続されるテレビコンセントに普通のテレビ受像機１０６を接続して使用する。テレビ受像機１０６は、スクランブルのかかっている放送映像のスクランブル解除ができないので、未加入契約者宅１０２では、スクランブルのかかっていない放送映像しか視聴することができない。
【００１２】
図６（ｂ）は、未契約者が不当に安い料金で視聴するという不正な使用をする場合の接続構成図を示している。
【００１３】
未加入契約者宅１０２の住人が、加入契約者宅１０１が所有している契約映像受信装置１０５を持ってきて自分の家のテレビコンセントに接続している。この場合、契約映像受信装置１０５は、ケーブルテレビ回線１０７で配信されてくるスクランブルのかかった放送映像のスクランブルを解除できるので、未加入契約者宅１０２で、スクランブルのかかった放送映像を視聴できることになる。
【００１４】
本来であれば、未加入契約者宅１０２がスクランブルのかかった放送映像を視聴するためには、正式に契約して、１台目の通常の料金を払わなければならないところを、図６（ｂ）のように複数契約している加入契約者宅１０１から契約映像受信装置１０５を持ってきて接続した場合には、２台目以降に対する安い料金で視聴できてしまうことになる。つまり、ケーブルテレビ局１００にとっては、本来なら、未加入契約者宅１０２がスクランブルのかかった放送映像を視聴させるのに１台目に対する契約料金を徴収できるところ、２台目以降に設定している不当に安い契約料金で視聴されてしまうため、その差額分の損害が発生する。
【００１５】
そこで、複数台を契約した加入契約者宅に貸出す映像受信装置を、主契約映像受信装置および副契約映像受信装置として、放送番組などの不正コピーおよび、許可された映像受信装置以外での視聴を防止することにより、加入契約者宅以外で不当に安い料金で放送映像を視聴するという不正な視聴を防止するものが開示されている（例えば、特許文献１参照）。
【００１６】
すなわち、図７は、特許文献１に開示されている端末間制御システムにおける、副契約映像受信装置での視聴を制限する方法を説明するためのブロック図を示している。
【００１７】
なお、この図は、副契約映像受信装置での視聴の制限方法に関連する部分のみを記載している。主契約映像受信装置１１２には、放送映像チューナ部や映像デコード処理部を記載していないが、主契約映像受信装置１１２も、当然これらの機能を備えており、副契約映像受信装置１１３が接続されていなくても、ケーブルテレビ局１１０から受信する放送番組の映像を単独で視聴することができる。
【００１８】
ここでは、１加入契約者が２台の映像受信装置を契約して所有しており、主契約映像受信装置１１２が１台目の映像受信装置であり、副契約映像受信装置１１３が２台目の映像受信装置である。
【００１９】
ケーブルテレビ局１１０からのケーブルテレビ回線１１４は、副契約映像受信装置１１３には接続されず、主契約映像受信装置１１２にのみ接続され、副契約映像受信装置１１３は、ケーブル１１５で主契約映像受信装置１１２に接続される。
【００２０】
主契約映像受信装置１１２の視聴キー作成部１２０は、ケーブルテレビ局１１０からの放送番組データと共に送信されてくる番組ＩＤと、主契約ＩＤ保持部１２１に保持されている主契約映像受信装置１１２固有の主契約装置ＩＤとに基づいて視聴キーを作成する。視聴キーには、主契約装置ＩＤ、副契約装置視聴許可ＩＤ、番組ＩＤが含まれる。そして、その視聴キーを、混合器１２２によって放送番組データに重畳し、ケーブル１１５を介して副契約映像受信装置１１３に送信する。
【００２１】
副契約映像受信装置１１３では、視聴可否判定部１３２が、放送映像チューナ部１３０で取り出された視聴キーに含まれる副契約装置視聴許可ＩＤと、副契約ＩＤ保持部１３３に保持されている自身の副契約装置ＩＤとを比較し、これらのＩＤが所定の関係の場合には視聴可能と判定して、映像デコード処理部１３１に通知する。
【００２２】
ケーブルテレビ回線１１４で配信されてくる放送番組データは暗号化されているが、視聴可否判定部１３２で視聴可能と判定された場合には、映像デコード処理部１３１のデスクランブル機能がアクティブとなり、放送映像の視聴が可能となる。視聴可否判定部１３２で視聴不可と判定された場合には、映像デコード処理部１３１のデスクランブル機能がアクティブとならず、その場合には、副契約映像受信装置１１３では放送映像の視聴ができない。
【００２３】
したがって、副契約映像受信装置１１３を未加入の隣の家に持っていき、ケーブルテレビ局１１０から接続されるケーブルテレビ回線１１４に直接接続したとしても、主契約映像受信装置１１２に接続されていないために、視聴キーを取得できず、ケーブルテレビ回線１１４で配信される放送映像を視聴することができない。つまり、この端末間制御システムを用いることにより、加入契約者宅以外で不当に安い料金で放送映像を視聴するという不正な視聴を防止することができる。
【特許文献１】特開平１０−３２２６７６号公報
【発明の開示】
【発明が解決しようとする課題】
【００２４】
しかしながら、図７に示す従来の端末間制御システムにおける視聴可否制限方法では、未契約者が不当に安い料金で視聴しようとして副契約映像受信装置１１３を自宅のテレビコンセントに接続したときに、その未契約者に対して正常な使用を促すような警告映像だけを表示させたくても、その警告映像だけを表示させることができなかった。つまり、図７に示す端末間制御システムでは、全ての放送番組を視聴できるようにするか、全ての放送番組を視聴できないようにするかしか制御できなかった。
【００２５】
すなわち、図７に示す端末間制御システムにおける視聴可否制限方法の場合には、副契約映像受信装置１１３は、主契約映像受信装置１１２で作成される視聴キーが取得できなければ、スクランブルの有無に関わらず、全ての放送番組を視聴することができない。
【００２６】
したがって、誤った接続をした場合や、不正な接続で視聴しようとした場合に、正常な使用を促すような警告映像などを視聴させようとしてもできなかった。
【００２７】
本発明は、上記従来の課題を解決するもので、不正な映像受信装置による視聴を制限でき、視聴制限時に特定のチャンネルの映像のみ視聴可能にする映像受信システム、副契約映像受信装置、映像受信方法等を提供することを目的とする。
【課題を解決するための手段】
【００２８】
上述した課題を解決するために、第１の本発明は、
１台の主契約映像受信装置と、少なくとも１台の副契約映像受信装置と、前記主契約映像受信装置および前記副契約映像受信装置を接続するネットワークとを備えた映像受信システムであって、
前記副契約映像受信装置は、
前記ネットワークにおける前記主契約映像受信装置との接続状態を検出するネットワーク接続検出ユニットと、
映像信号を受信する映像受信チューナユニットと、
前記映像受信チューナユニットが前記映像信号を受信する際に、前記ネットワーク接続検出ユニットが前記主契約映像受信装置との未接続を検出した場合には、限定された所定のチャンネルの映像信号を前記映像受信チューナユニットに受信させる、映像受信制御ユニットと、
前記映像受信チューナユニットが受信した前記映像信号に対応する表示用信号を出力する表示信号出力ユニットとを有する、映像受信システムである。
【００２９】
また、第２の本発明は、
前記主契約映像受信装置は、
固有の第１の識別情報を予め保持している第１の識別情報保持ユニットと、
前記ネットワークを介した前記副契約映像受信装置からの、前記第１の識別情報の送信要求に応じて、前記第１の識別情報を送信する第１の識別情報送信ユニットとを有し、
前記副契約映像受信装置は、
前記第１の識別情報と同じ値を持つ固有の第２の識別情報を予め保持している第２の識別情報保持ユニットと、
前記ネットワーク接続検出ユニットが前記主契約映像受信装置との接続を検出した際に、前記主契約映像受信装置に前記第１の識別情報の前記送信要求を送信する識別情報要求ユニットと、
前記主契約映像受信装置から送信されてくる前記第１の識別情報を受信する識別情報受信ユニットとを有し、
前記映像受信制御ユニットは、前記ネットワーク接続検出ユニットが前記主契約映像受信装置との接続を検出していても、前記主契約映像受信装置から受信した前記第１の識別情報と、前記第２の識別情報保持ユニットに予め保持している前記第２の識別情報とが一致しなかった場合には、限定された所定のチャンネルの映像信号を前記映像受信チューナユニットに受信させる、第１の本発明の映像受信システムである。
【００３０】
また、第３の本発明は、
前記主契約映像受信装置は、
固有の第１の識別情報を予め保持している第１の識別情報保持ユニットと、
前記ネットワークを介して前記副契約映像受信装置から受信した第２の識別情報が、前記第１の識別情報保持ユニットに予め保持している前記第１の識別情報と一致しているか否かを示す判定情報を、前記副契約映像受信装置に送信する判定情報送信ユニットとを有し、
前記副契約映像受信装置は、
前記第１の識別情報と同じ値を持つ固有の前記第２の識別情報を予め保持している第２の識別情報保持ユニットと、
前記ネットワーク接続検出ユニットが前記主契約映像受信装置との接続を検出した際に、前記主契約映像受信装置に前記第２の識別情報を送信する第２の識別情報送信ユニットと、
前記主契約映像受信装置から送信されてくる前記判定情報を受信する判定情報受信ユニットとを有し、
前記映像受信制御ユニットは、前記ネットワーク接続検出ユニットが前記主契約映像受信装置との接続を検出していても、前記主契約映像受信装置から受信した前記判定情報が、前記第２の識別情報と前記第１の識別情報との不一致を示す場合には、限定された所定のチャンネルの映像信号を前記映像受信チューナユニットに受信させる、第１の本発明の映像受信システムである。
【００３１】
また、第４の本発明は、
前記主契約映像受信装置と前記副契約映像受信装置は、同じ構成の映像受信装置であり、前記主契約映像受信装置は、前記副契約映像受信装置の機能を有し、前記副契約映像受信装置は、前記主契約映像受信装置の機能を有している、第１の本発明の映像受信システムである。
【００３２】
また、第５の本発明は、
前記ネットワークは、前記主契約映像受信装置および前記副契約映像受信装置に接続された前記映像信号を配信するための配線を利用するネットワークである、第１の本発明の映像受信システムである。
【００３３】
また、第６の本発明は、
主契約映像受信装置に、ネットワークを介して接続される副契約映像受信装置であって、
前記ネットワークにおける前記主契約映像受信装置との接続状態を検出するネットワーク接続検出ユニットと、
映像信号を受信する映像受信チューナユニットと、
前記映像受信チューナユニットが前記映像信号を受信する際に、前記ネットワーク接続検出ユニットが前記主契約映像受信装置との未接続を検出した場合には、限定された所定のチャンネルの映像信号を前記映像受信チューナユニットに受信させる、映像受信制御ユニットと、
前記映像受信チューナユニットが受信した前記映像信号に対応する表示用信号を出力する表示信号出力ユニットとを備えた、副契約映像受信装置である。
【００３４】
また、第７の本発明は、
前記主契約映像受信装置に予め保持されている固有の第１の識別情報と同じ値を持つ固有の第２の識別情報を予め保持している第２の識別情報保持ユニットと、
前記ネットワーク接続検出ユニットが前記主契約映像受信装置との接続を検出した際に、前記主契約映像受信装置に前記第１の識別情報の送信要求を送信する識別情報要求ユニットと、
前記主契約映像受信装置から送信されてくる前記第１の識別情報を受信する識別情報受信ユニットとを備え、
前記映像受信制御ユニットは、前記ネットワーク接続検出ユニットが前記主契約映像受信装置との接続を検出していても、前記主契約映像受信装置から受信した前記第１の識別情報と、前記第２の識別情報保持ユニットに予め保持している前記第２の識別情報とが一致しなかった場合には、限定された所定のチャンネルの映像信号を前記映像受信チューナユニットに受信させる、第６の本発明の副契約映像受信装置である。
【００３５】
また、第８の本発明は、
前記主契約映像受信装置に予め保持されている固有の第１の識別情報と同じ値を持つ固有の第２の識別情報を予め保持している第２の識別情報保持ユニットと、
前記ネットワーク接続検出ユニットが前記主契約映像受信装置との接続を検出した際に、前記主契約映像受信装置に前記第２の識別情報を送信する第２の識別情報送信ユニットと、
前記主契約映像受信装置が、受信した前記第２の識別情報と、予め保持している前記第１の識別情報とが一致しているか否かを判定して送信してくる判定情報を受信する判定情報受信ユニットとを備え、
前記映像制御ユニットは、前記ネットワーク接続検出ユニットが前記主契約映像受信装置との接続を検出していても、前記判定情報が、前記第２の識別情報と前記第１の識別情報との不一致を示す場合には、限定された所定のチャンネルの映像信号を前記映像受信チューナユニットに受信させる、第６の本発明の副契約映像受信装置である。
【００３６】
また、第９の本発明は、
前記映像受信チューナユニットが受信する前記映像信号は、暗号化されており、
前記映像受信チューナユニットは、前記映像信号を映像デコードする映像デコードユニットを有している、第６の本発明の副契約映像受信装置である。
【００３７】
また、第１０の本発明は、
前記副契約映像受信装置の電源のオン／オフ状態を検出する電源状態検出ユニットを備え、
前記映像受信制御ユニットは、前記映像受信チューナユニットが前記映像信号を受信する際に、前記電源状態検出ユニットが前記電源のオン状態を検出し、かつ前記ネットワーク接続検出ユニットが前記主契約映像受信装置との未接続を検出した場合に、前記限定された所定のチャンネルの映像信号を前記映像受信チューナユニットに受信させる、第６の本発明の副契約映像受信装置である。
【００３８】
また、第１１の本発明は、
前記限定された所定のチャンネルの映像信号によって表示される映像は、正常な使用を促す警告映像である、第６の本発明の副契約映像受信装置である。
【００３９】
また、第１２の本発明は、
１台の主契約映像受信装置と、少なくとも１台の副契約映像受信装置と、前記主契約映像受信装置および前記副契約映像受信装置を接続するネットワークとを備えた映像受信システムを利用した映像受信方法であって、
前記副契約映像受信装置が、前記ネットワークを介して前記主契約映像受信装置に対して接続しているかどうかを、前記副契約映像受信装置によって検出するネットワーク接続検出ステップと、
前記副契約映像受信装置が、前記映像信号を受信する際に前記ネットワークで前記主契約映像受信装置に対して未接続の場合には、前記副契約映像受信装置によって、限定された所定のチャンネルの映像信号を受信する副契約受信ステップと、
前記副契約映像受信装置によって、前記限定された所定のチャンネルの映像信号に対応する表示用信号を出力する副契約出力ステップとを備えた、映像受信方法である。
【００４０】
また、第１３の本発明は、
第６の本発明の副契約映像受信装置の、前記ネットワーク接続検出ユニットが前記主契約映像受信装置との未接続を検出した場合には、限定された所定のチャンネルの映像信号を前記映像受信チューナユニットに受信させる前記映像受信制御ユニットとしてコンピュータを機能させるためのプログラムである。
【００４１】
また、第１４の本発明は、
第２の本発明の映像受信システムの、前記副契約映像受信装置からの前記第１の識別情報の要求に応じて前記第１の識別情報を送信する前記第１の識別情報送信ユニット、前記ネットワーク接続検出ユニットが前記主契約映像受信装置との接続を検出した際に、前記主契約映像受信装置に前記第１の識別情報の送信要求を送信する前記識別情報要求ユニット、前記ネットワーク接続検出ユニットが前記主契約映像受信装置との接続を検出していても、前記第１の識別情報と前記第２の識別情報とが一致しなかった場合には限定された所定のチャンネルの映像信号を前記映像受信チューナユニットに受信させる前記映像受信制御ユニット、としてコンピュータを機能させるためのプログラムである。
【００４２】
また、第１５の本発明は、
第３の本発明の映像受信システムの、前記第２の識別情報と前記第１の識別情報とが一致しているか否かを示す判定情報を前記副契約映像受信装置に送信する前記判定情報送信ユニット、前記ネットワーク接続検出ユニットが前記主契約映像受信装置との接続を検出した際に、前記主契約映像受信装置に前記第２の識別情報を送信する前記第２の識別情報送信ユニット、前記ネットワーク接続検出ユニットが前記主契約映像受信装置との接続を検出していても、前記主契約映像受信装置から受信した前記判定情報が前記第２の識別情報と前記第１の識別情報との不一致を示す場合には、限定された所定のチャンネルの映像信号を前記映像受信チューナユニットに受信させる前記映像受信制御ユニット、としてコンピュータを機能させるためのプログラムである。
【００４３】
また、第１６の本発明は、
第１３〜第１５のいずれかの本発明のプログラムを記録した記録媒体であって、コンピュータで利用可能な記録媒体である。
【発明の効果】
【００４４】
本発明により、不正な映像受信装置による視聴を制限でき、視聴制限時に特定のチャンネルの映像のみ視聴可能にする映像受信システム、副契約映像受信装置、映像受信方法等を提供できる。
【発明を実施するための最良の形態】
【００４５】
以下、本発明を実施するための最良の形態について、図面を参照しながら説明する。
【００４６】
（実施の形態１）
図１は、本発明の実施の形態１のケーブルテレビ受信システムの接続構成図を示している。
【００４７】
ここでは、３台の映像受信装置を契約して所有している加入者の場合を示している。
【００４８】
ケーブルテレビ局１０から、ケーブルテレビ回線１４によって、加入契約者宅１１に映像が配信される。
【００４９】
加入契約者宅１１には、１台目〜３台目の映像受信装置として、それぞれ、主契約映像受信装置１２、副契約映像受信装置１３、および副契約映像受信装置１６が設置されている。主契約映像受信装置１２、副契約映像受信装置１３、１６のそれぞれにケーブルテレビ回線１４が接続されている。
【００５０】
また、副契約映像受信装置１３および副契約映像受信装置１６は、それぞれ、宅内ネットワーク１５によって、主契約映像受信装置１２に接続されている。
【００５１】
なお、宅内ネットワーク１５が、本発明のネットワークの一例にあたる。また、本実施の形態１のケーブルテレビ受信システムの加入契約者宅１１内の、主契約映像受信装置１２、副契約映像受信装置１３、１６、および宅内ネットワーク１５を含む構成が、本発明の映像受信システムの一例にあたる。
【００５２】
図２は、本実施の形態１のケーブルテレビ受信システムにおける、主契約映像受信装置１２と副契約映像受信装置１３との接続を示すブロック図である。図１と同じ構成部分には、同じ符号を用いている。
【００５３】
なお、副契約映像受信装置１６の構成も副契約映像受信装置１３と同じ構成である。図２には、主契約映像受信装置１２と副契約映像受信装置１３との接続のみを示しているが、主契約映像受信装置１２と副契約映像受信装置１６との接続構成も、図２と同様である。
【００５４】
主契約映像受信装置１２は、副契約映像受信装置１３と宅内ネットワーク１５で接続する宅内接続部２０を備えている。
【００５５】
また、主契約映像受信装置１２は、放送映像チューナ部２１、ＣＡＳ復号部２２、映像デコード処理部２３、表示データ出力部２６、および映像表示部２４を備えている。
【００５６】
放送映像チューナ部２１は、ケーブルテレビ局１０から配信される放送映像を受信する。ＣＡＳ復号部２２は、放送映像チューナ部２１で選局された放送映像を、ＣＡＳ（限定受信システム）の復号情報である「鍵情報」で復号する。映像デコード処理部２３は、ＣＡＳ復号部２２で復号された放送映像をデコード処理する。そして、映像デコード処理部２３でデコードされた表示用のデータが表示データ出力部２６から出力され、映像表示部２４でその映像が表示される。
【００５７】
副契約映像受信装置１３は、主契約映像受信装置１２と宅内ネットワーク１５で接続する宅内接続部３２を備えている。
【００５８】
また、副契約映像受信装置１３は、電源スイッチ部３０、電源検出部３１、および主契約接続検出部３３を備えている。
【００５９】
電源スイッチ部３０は、副契約映像受信装置１３の電源のＯＮ／ＯＦＦを行なう。電源検出部３１は、電源スイッチ部３０のＯＮ／ＯＦＦ状態を検出する。そして、主契約接続検出部３３は、電源検出部３１で電源ＯＮを検出したことと、宅内接続部３２で主契約映像受信装置１２との未接続／接続を検出したこととを認識する。
【００６０】
なお、電源検出部３１が、本発明の電源状態検出ユニットの一例にあたる。また、宅内接続部３２が、本発明のネットワーク接続検出ユニットの一例にあたり、主契約接続検出部３３が、本発明の映像受信制御ユニットの一例にあたる。
【００６１】
また、副契約映像受信装置１３は、放送映像チューナ部３４、ＣＡＳ復号部３５、映像デコード処理部３６、表示データ出力部３８、および映像表示部３７を備えている。
【００６２】
放送映像チューナ部３４、ＣＡＳ復号部３５、映像デコード処理部３６、表示データ出力部３８、および映像表示部３７は、それぞれ、主契約映像受信装置１２の、放送映像チューナ部２１、ＣＡＳ復号部２２、映像デコード処理部２３、表示データ出力部２６、および映像表示部２４と同様の機能を有するものである。
【００６３】
なお、放送映像チューナ部３４が、本発明の映像受信チューナユニットの一例にあたる。また、ＣＡＳ復号部３５と映像デコード処理部３６を合わせた構成が、本発明の映像デコードユニットの一例にあたる。また、表示データ出力部３８が、本発明の表示信号出力ユニットの一例にあたる。
【００６４】
次に、本実施の形態１のケーブル受信システムで、ケーブルテレビ局１０からの放送映像を主契約映像受信装置１２および副契約映像受信装置１３で受信する動作について以下に説明する。
【００６５】
まず、主契約映像受信装置１２で放送映像を受信する動作について説明する。
【００６６】
主契約映像受信装置１２の放送映像チューナ部２１は、ケーブルテレビ回線１４によってケーブルテレビ局１０から配信される放送映像を受信し、視聴するための選曲を行なう。
【００６７】
ＣＡＳ復号部２２は、放送映像チューナ部２１で選局された放送映像を、ＣＡＳ（限定受信システム）の復号情報である鍵情報を使用して復号する。そして、映像デコード処理部２３が、ＣＡＳ復号部２２で復号された放送映像のデコード処理をし、映像デコード処理部２３でデコードされた表示用データが表示データ出力部２６から出力され、映像表示部２４でその映像が表示される。
【００６８】
このようにして、主契約映像受信装置１２は、ケーブルテレビ局１０から配信される放送映像を受信し表示する。
【００６９】
次に、副契約映像受信装置１３で放送映像を受信する動作について説明する。宅内ネットワーク１５によって、主契約映像受信装置１２と接続されている場合と接続されていない場合の、それぞれについて説明する。
【００７０】
まず、主契約映像受信装置１２と宅内ネットワーク１５によって接続されている場合の動作について説明する。
【００７１】
副契約映像受信装置１３で映像を受信するために電源スイッチ部３０をＯＮすると、電源検出部３１は、電源スイッチ部３０がＯＮ状態になったことを検出する。そして、宅内接続部３２は、電源検出部３１が電源がＯＮになったことを検出すると、主契約映像受信装置１２と宅内ネットワーク１５で接続する。
【００７２】
主契約接続検出部３３は、電源検出部３１が電源ＯＮを検出したことと宅内接続部３２が主契約映像受信装置１２との接続を検出したこととを認識すると、放送映像チューナ部３４に「契約チャンネルを視聴可能」を通知する。
【００７３】
放送映像チューナ部３４は、ケーブルテレビ回線１４によってケーブルテレビ局１０から配信される放送映像を受信し、主契約接続検出部３３からの「契約チャンネルを視聴可能」の通知により、暗号化された全ての映像を視聴するための選曲を行なう。
【００７４】
ＣＡＳ復号部３５は、放送映像チューナ部３４で選局された放送映像を、ＣＡＳ（限定受信システム）の復号情報である鍵情報を使用して復号する。そして、映像デコード処理部３６が、ＣＡＳ復号部３５で復号された映像信号のデコード処理をし、映像デコード処理部３６でデコードされた表示用データが表示データ出力部３８から出力され、映像表示部３７でその映像が表示される。
【００７５】
次に、主契約映像受信装置１２と宅内ネットワーク１５によって接続されていない場合の動作について説明する。
【００７６】
副契約映像受信装置１３で映像を受信するために電源スイッチ部３０をＯＮすると、電源検出部３１は、電源スイッチ部３０がＯＮ状態になったことを検出する。そして、宅内接続部３２は、電源検出部３１が電源がＯＮになったことを検出すると、主契約映像受信装置１２と宅内ネットワーク１５で接続する。
【００７７】
主契約接続検出部３３は、電源検出部３１が電源ＯＮを検出したことと、主契約映像受信装置１２とは接続されていないことを宅内接続部３２が検出したこととを認識し、放送映像チューナ部３４に「契約チャンネルを視聴不可」を通知する。
【００７８】
放送映像チューナ部３４は、ケーブルテレビ回線１４によってケーブルテレビ局１０から配信される放送映像を受信し、主契約接続検出部３３からの「契約チャンネルを視聴不可」の通知により、暗号化された固定映像のみを視聴するための選曲を行なう。
【００７９】
ＣＡＳ復号部３５は、放送映像チューナ部３４で選局された放送映像を、ＣＡＳ（限定受信システム）の復号情報である鍵情報を使用して復号する。そして、映像デコード処理部３６が、ＣＡＳ復号部３５で復号された固定チャンネルの放送映像のデコード処理をし、映像デコード処理部３６でデコードされた表示用データが表示データ出力部３８から出力され、映像表示部３７でその映像が表示される。
【００８０】
なお、ここでいう「固定チャンネル」とは、未契約でも視聴してもよいチャンネルであり、「固定映像」とは、「固定チャンネル」で放送される映像である。「固定チャンネル」とは、例えば、ケーブルテレビ事業者が提供しているようなチャンネルであり、「固定映像」とは、例えば「主契約映像受信装置に接続してください」というメッセージを表示するような映像である。また、暗号化された固定映像の信号が、本発明の、限定された所定のチャンネルの映像信号の一例にあたる。
【００８１】
つまり、「固定映像」が表示されるのは、誤った接続をした場合や、不正な接続で視聴しようとした場合であり、そのような場合に、正常使用の告知や勧誘広告放送映像などの警告映像を表示させることができる。なお、正常使用の告知や勧誘広告放送映像などの警告映像が、本発明の、正常な使用を促す警告映像の一例にあたる。
【００８２】
また、宅内接続部３２における「主契約映像受信装置１２との接続の検出」とは、主契約映像受信装置１２との接続が確認できる方法であればよい。例えば、主契約映像受信装置１２との間の物理リンクが確立したことや、パスワード交換が成立したことや、パケット交換が成立したことなどを、それぞれ「接続を検出した」という判定に用いてもよい。
【００８３】
また、上記で説明した副契約映像受信装置１３の各ブロックにおける処理は、ハードウェアで実現するようにしてもよいし、ソフトウェアで実現するようにしてもよい。
【００８４】
例えば、主契約接続検出部３３の処理は、全てソフトウェアで実現させることもできる。主契約接続検出部３３をＣＰＵによって実行されるプログラムとし、宅内接続部３２が検出した宅内ネットワーク１５の接続状態を示すフラグ、および、電源検出部３１が検出した電源状態を示すフラグを、それぞれメモリ上に格納するようにし、それらのメモリ上のフラグを主契約接続検出部３３が読み込む。そして、主契約接続検出部３３は、それらのフラグの状態に応じて「契約チャンネルの視聴可否」を判断し、その判断結果を示す「契約チャンネルの視聴可否」フラグをメモリ上に書き込み、放送映像チューナ部３４が、その「契約チャンネルの視聴可否」フラグを読み込んで、そのフラグの状態に応じて動作するなどして実現できる。
【００８５】
また、図２では、主契約映像受信装置１２と副契約映像受信装置１３を異なる構成として説明したが、これらに同じ構成の映像受信装置を用いるようにしてもよい。
【００８６】
図３は、同じ構成の映像受信装置を主契約映像受信装置および副契約映像受信装置として用いる場合の、ケーブルテレビ受信システムの接続を示すブロック図を示している。
【００８７】
図３に示すように、この場合の主契約映像受信装置４０と副契約映像受信装置４１は、同じ構成の映像受信装置である。
【００８８】
図３の、宅内接続部４２、放送映像チューナ部４３、ＣＡＳ復号部４４、映像デコード処理部４５、表示データ出力部５３、映像表示部４６、電源スイッチ部４７、電源検出部４８、および主契約接続検出部４９は、それぞれ、図２に示す、宅内接続部３２、放送映像チューナ部３４、ＣＡＳ復号部３５、映像デコード処理部３６、表示データ出力部３８、映像表示部３７、電源スイッチ部３０、電源検出部３１、および主契約接続検出部３３と同じ機能を有するものである。
【００８９】
主副切り替えＳＷ５５は、自身が主契約映像受信装置として動作するか、副契約映像受信装置として動作するかを切り替えるスイッチである。主契約映像受信装置４０として動作する映像受信装置の主副切り替えＳＷ５５は、主契約映像受信装置側に設定されており、副契約映像受信装置４１として動作する映像受信装置の主副切り替えＳＷ５５は、副契約映像受信装置側に設定されている。
【００９０】
図３で、塗りつぶしているブロックは、その機能がアクティブでないブロックを示している。この場合、主契約映像受信装置４０は、主副切り替えＳＷ５５が主契約映像受信装置側に設定されているので、副契約映像受信装置の場合にのみ動作する必要がある、電源スイッチ部４７、電源検出部４８、主契約接続検出部４９の各機能は、非アクティブとなっている。
【００９１】
このような構成とすることにより、図３に示す主契約映像受信装置４０および副契約映像受信装置４１は、同じ構成の映像受信装置であるが、図２に示す主契約映像受信装置１２および副契約映像受信装置１３と同様の動作をする。
【００９２】
このように、自身が主契約映像受信装置か副契約映像受信装置か、および宅内ネットワーク１５で接続されている相手が主契約映像受信装置か副契約映像受信装置かさえ判別できるようにするだけで、同じ構成の映像受信装置を、主契約映像受信装置と副契約映像受信装置に共用できる。
【００９３】
主契約映像受信装置と副契約映像受信装置との判別方法は、図３のような切り替えスイッチを用いる方法に限らず、ユーザが容易に書き換えられないような方法であれば、どのような方法であってもよい。例えば、ＲＯＭ内に主契約映像受信装置と副契約映像受信装置の判別フラグを設けておいて、予め設定しておくその判別フラグの値を映像受信装置によって異ならせるようにしてもよいし、基板上の所定の配線パターンの短絡／断線によって主契約映像受信装置か副契約映像受信装置かを判別できるようにしてもよい。
【００９４】
図７に示した従来の端末間制御システムの構成では、加入契約者宅における複数台目の映像受信装置（図７の場合の副契約映像受信装置１１３）は、主契約映像受信装置１１２を経由しなければ放送映像を利用できなかった。副契約映像受信装置１１３は、主契約映像受信装置１１２からの視聴キーを取得しなければ放送番組を受信することができず、主契約映像受信装置１１２のように単独で受信できる機能を備えていない。つまり、副契約映像受信装置１１３は、主契約映像受信装置１１２とは構成の異なる専用の端末であることが必要であった。
【００９５】
これに対して、本実施の形態１のケーブルテレビ受信システムでは、主契約映像受信装置と副契約映像受信装置を共用化できるので、汎用の端末とすることができる。
【００９６】
本実施の形態１のケーブルテレビ受信システムを用いることにより、加入契約者宅の視聴者は主契約映像受信装置１２で全ての映像を受信し、視聴することができる。また、主契約映像受信装置１２と宅内ネットワーク１５で接続されている副契約映像受信装置では、主契約映像受信装置１２と同様に、全ての映像を受信し、視聴することができるが、主契約映像受信装置１２と宅内ネットワーク１５で接続されていない副契約映像受信装置では、ケーブルテレビ回線１４上の固定の放送映像しか受信できなく、視聴を制御することができる。
【００９７】
（実施の形態２）
図４は、本発明の実施の形態２のケーブルテレビ受信システムにおける、主契約映像受信装置１７と副契約映像受信装置１８との接続を示すブロック図である。実施の形態１の図２と同じ構成部分には、同じ符号を用いており、それらについては説明を省略する。
【００９８】
本実施の形態２のケーブルテレビ受信システムの接続構成も、図１に示す実施の形態１と同様の構成であり、１台の主契約映像受信装置１７が、１台以上の副契約映像受信装置１８のそれぞれと宅内ネットワーク１５で接続される。そして、主契約映像受信装置１７、副契約映像受信装置１８のそれぞれにケーブルテレビ回線１４が接続される。
【００９９】
図４において、主契約映像受信装置１７は、図２に示した主契約映像受信装置１２の構成に加えて、主副接続識別情報保持部５０、主副接続識別情報要求受信部５１、および主副接続識別情報送信部５２を備えている。
【０１００】
なお、宅内接続部２０が、本発明のネットワーク接続ユニットの一例にあたる。
【０１０１】
主副接続識別情報保持部５０は、副契約映像受信装置１８との固有の主副接続識別情報を保持し、主副接続識別情報要求受信部５１は、副契約映像受信装置１８からの主副接続識別情報要求を受信する。そして、主副接続識別情報送信部５２は、副契約映像受信装置１８からの主副接続識別情報要求に応じて、主副接続識別情報保持部５０に保持している主副接続識別情報を副契約映像受信装置１８に送信する。
【０１０２】
なお、主副接続識別情報保持部５０に保持されている固有の主副接続識別情報が、本発明の第１の識別情報の一例にあたり、主副接続識別情報保持部５０が、本発明の第１の識別情報保持ユニットの一例にあたる。また、主副接続識別情報送信部５２が、本発明の第１の識別情報送信ユニットの一例にあたる。
【０１０３】
副契約映像受信装置１８は、図２に示した副契約映像受信装置１３の構成に加えて、主副接続識別情報保持部６０、主副接続識別情報要求部６１、主副接続識別情報受信部６２、および主副接続識別情報一致検出部６３を備えている。
【０１０４】
主副接続識別情報保持部６０は、主契約映像受信装置１７との固有の主副接続識別情報を保持している。つまり、主副接続識別情報保持部６０には、主契約映像受信装置１７の主副接続識別情報保持部５０と同じ値の主副接続識別情報が保持されている。
【０１０５】
主副接続識別情報要求部６１は、主契約映像受信装置１７に対して主副接続識別情報を要求し、主副接続識別情報受信部６２は、主契約映像受信装置１７からの主副接続識別情報を受信する。そして、主副接続識別情報一致検出部６３は、主副接続識別情報受信部６２で受信した主副接続識別情報と、主副接続識別情報保持部６０に保持している主副接続識別情報との一致を検出する。
【０１０６】
なお、主副接続識別情報保持部６０に保持されている固有の主副接続識別情報が、本発明の第２の識別情報の一例にあたり、主副接続識別情報保持部６０が、本発明の第２の識別情報保持ユニットの一例にあたる。また、主副接続識別情報要求部６１が、本発明の識別情報要求ユニットの一例にあたり、主副接続識別情報受信部６２が、本発明の識別情報受信ユニットの一例にあたる。また、主副接続識別情報一致検出部６３が、本発明の映像受信制御ユニットの一例にあたる。
【０１０７】
次に、本実施の形態２のケーブル受信システムで、ケーブルテレビ局１０からの放送映像を主契約映像受信装置１７および副契約映像受信装置１８で受信する動作について説明する。
【０１０８】
主契約映像受信装置１７で放送映像を受信する動作と、主契約映像受信装置１７と宅内ネットワーク１５によって接続されていない場合の副契約映像受信装置１８で放送映像を受信する動作とは、実施の形態１の動作と同一であり、その説明を省略する。
【０１０９】
以下に、宅内ネットワーク１５によって、主契約映像受信装置１７と接続されている場合の、副契約映像受信装置１８で放送映像を受信する動作について説明する。主契約映像受信装置１２から受信した主副接続識別情報と副契約映像受信装置１３が保持している主副接続識別情報とが一致している場合と、一致していない場合の、それぞれの動作について説明する。
【０１１０】
まず、主契約映像受信装置１７から受信した主副接続識別情報が、副契約映像受信装置１８が保持している主副接続識別情報と一致している場合の、副契約映像受信装置１８で放送映像を受信する動作について説明する。
【０１１１】
副契約映像受信装置１８で映像を受信するために電源スイッチ部３０をＯＮすると、電源検出部３１は、電源スイッチ部３０がＯＮ状態になったことを検出する。そして、宅内接続部３２は、電源検出部３１が電源がＯＮになったことを検出すると、主契約映像受信装置１７と宅内ネットワーク１５で接続する。
【０１１２】
主契約接続検出部３３が、電源検出部３１が電源ＯＮを検出したことと宅内接続部３２が主契約映像受信装置１７との接続を検出したこととを認識すると、主副接続識別情報要求部６１は、宅内ネットワーク１５を介して、主契約映像受信装置１７に主副接続識別情報の送信を要求する。
【０１１３】
主契約映像受信装置１７の主副接続識別情報要求受信部５１は、副契約映像受信装置１８からの主副接続識別情報要求を受信する。主副接続識別情報要求受信部５１が副契約映像受信装置１８からの主副接続識別情報要求を受信すると、主副接続識別情報送信部５２は、主副接続識別情報保持部５０に保持している主副接続識別情報を、宅内ネットワーク１５を介して副契約映像受信装置１８に送信する。
【０１１４】
副契約映像受信装置１８の主副接続識別情報受信部６２が主契約映像受信装置１７からの主副接続識別情報を受信すると、主副接続識別情報一致検出部６３は、主副接続識別情報受信部６２で受信した主副接続識別情報と主副接続識別情報保持部６０に保持している主副接続識別情報とを比較し、それらが一致していることを検出し、放送映像チューナ部３４に通知する。
【０１１５】
放送映像チューナ部３４は、ケーブルテレビ回線１４によってケーブルテレビ局１０から配信される放送映像を受信し、主副接続識別情報一致検出部６３からの「主契約映像受信装置１７との主副接続識別情報が一致」の通知により、暗号化された全ての映像を視聴するための選曲を行なう。
【０１１６】
ＣＡＳ復号部３５は、放送映像チューナ部３４で選局された放送映像を、ＣＡＳ（限定受信システム）の復号情報である鍵情報を使用して復号する。そして、映像デコード処理部３６が、ＣＡＳ復号部３５で復号された映像信号のデコード処理をし、映像デコード処理部３６でデコードされた表示用データが表示データ出力部３８から出力され、映像表示部３７でその映像が表示される。
【０１１７】
次に、主契約映像受信装置１７から受信した主副接続識別情報が、副契約映像受信装置１８が保持している主副接続識別情報と一致していない場合の、副契約映像受信装置１８で放送映像を受信する動作について説明する。
【０１１８】
副契約映像受信装置１８で映像を受信するために電源スイッチ部３０をＯＮすると、電源検出部３１は、電源スイッチ部３０がＯＮ状態になったことを検出する。そして、宅内接続部３２は、電源検出部３１が電源がＯＮになったことを検出すると、主契約映像受信装置１７と宅内ネットワーク１５で接続する。
【０１１９】
主契約接続検出部３３が、電源検出部３１が電源ＯＮを検出したことと宅内接続部３２が主契約映像受信装置１７との接続を検出したこととを認識すると、主副接続識別情報要求部６１は、宅内ネットワーク１５を介して、主契約映像受信装置１７に主副接続識別情報の送信を要求する。
【０１２０】
主契約映像受信装置１７の主副接続識別情報要求受信部５１は、副契約映像受信装置１８からの主副接続識別情報要求を受信する。主副接続識別情報要求受信部５１が副契約映像受信装置１８からの主副接続識別情報要求を受信すると、主副接続識別情報送信部５２は、主副接続識別情報保持部５０に保持している主副接続識別情報を、宅内ネットワーク１５を介して副契約映像受信装置１８に送信する。
【０１２１】
副契約映像受信装置１８の主副接続識別情報受信部６２が主契約映像受信装置１７からの主副接続識別情報を受信すると、主副接続識別情報一致検出部６３は、主副接続識別情報受信部６２で受信した主副接続識別情報と主副接続識別情報保持部６０に保持している主副接続識別情報とを比較し、それらが一致していないことを検出し、放送映像チューナ部３４に通知する。
【０１２２】
放送映像チューナ部３４は、ケーブルテレビ回線１４によってケーブルテレビ局１０から配信される放送映像を受信し、主副接続識別情報一致検出部６３からの「主契約映像受信装置１７との主副接続識別情報が不一致」の通知により、暗号化された固定映像のみを視聴するための選曲を行なう。
【０１２３】
ＣＡＳ復号部３５は、放送映像チューナ部３４で選局された放送映像を、ＣＡＳ（限定受信システム）の復号情報である鍵情報を使用して復号する。そして、映像デコード処理部３６が、ＣＡＳ復号部３５で復号された固定チャンネルの放送映像のデコード処理をし、映像デコード処理部３６でデコードされた表示用データが表示データ出力部３８から出力され、映像表示部３７でその映像が表示される。
【０１２４】
また、上記で説明した主契約映像受信装置１７および副契約映像受信装置１８の各ブロックにおける処理は、ハードウェアで実現するようにしてもよいし、ソフトウェアで実現するようにしてもよい。
【０１２５】
例えば、主副接続識別情報送信部５２の処理を、ＣＰＵによって実行されるプログラムで実現させる場合には、主副接続識別情報要求受信部５１が副契約映像受信装置１８からの主副接続識別情報要求を受信した際に、主副接続識別情報送信部５２の処理を開始させるようにしておき、主副接続識別情報送信部５２が、主副接続識別情報保持部５０としてのメモリ上の所定の領域に書き込まれている主副接続識別情報を読み込み、宅内ネットワーク１５を介して副契約映像受信装置１８に送信するための送信バッファに、その主副接続識別情報を書き込むなどすることにより実現できる。
【０１２６】
また例えば、主副接続識別情報要求部６１の処理を、ＣＰＵによって実行されるプログラムで実現させる場合には、宅内接続部３２が検出した宅内ネットワーク１５の接続状態を示すフラグ、および、電源検出部３１が検出した電源状態を示すフラグを、それぞれメモリ上に格納するようにし、それらのメモリ上のフラグを主副接続識別情報要求部６１が読み込む。そして、主副接続識別情報要求部６１は、それらのフラグの状態に応じて主契約映像受信装置１７への主副接続識別情報の要求が必要と判断した場合には、宅内ネットワーク１５を介して主契約映像受信装置１７に送信するための送信バッファに、主契約映像受信装置１７への主副接続識別情報を要求する伝文を書き込むなどすることにより実現できる。
【０１２７】
また例えば、主副接続識別情報一致検出部６３の処理を、ＣＰＵによって実行されるプログラムで実現させる場合には、主副接続識別情報受信部６２が受信した主副接続識別情報をメモリ上の所定の領域に書き込むようにしておき、主副接続識別情報一致検出部６３が、そのメモリ上に書き込まれた主副接続識別情報と、主副接続識別情報保持部６０としてのメモリ上の別の所定の領域に書き込まれている主副接続識別情報とを読み込む。そして、主副接続識別情報一致検出部６３は、それらの読み込んだ２つの主副接続識別情報を比較し、その比較結果を示す「主副接続識別情報の一致／不一致」フラグをメモリ上に書き込み、放送映像チューナ部３４が、その「主副接続識別情報の一致／不一致」フラグを読み込んで、そのフラグの状態に応じて動作するなどにより実現できる。
【０１２８】
本実施の形態２のケーブルテレビ受信システムを用いることにより、加入契約者宅の視聴者は主契約映像受信装置１７で全ての映像を受信し、視聴することができる。また、主契約映像受信装置１７と宅内ネットワーク１５で接続されており、保持する主副接続識別情報が一致している副契約映像受信装置では主契約映像受信装置１７と同様に、副契約映像受信装置でも全ての映像を受信し、視聴することができるが、主契約映像受信装置１７と宅内ネットワーク１５で接続されていないか、宅内ネットワークで接続されてはいるが、保持する主副接続識別情報が一致していない副契約映像受信装置では、ケーブルテレビ回線１４上の固定の放送映像しか受信できなく、視聴を制御することができる。
【０１２９】
例えば、各契約者毎に、正規に契約された主契約映像受信装置と副契約映像受信装置にのみ、共通の主副接続識別情報を保持させるようにすることにより、その契約者が、さらに契約外で別の映像受信装置を調達してきて正規の契約数を超える映像受信装置での視聴をしようとしても、主副接続識別情報が一致しないので、その契約外の映像受信装置での視聴はできず、契約数を超える映像受信装置による視聴を制限できる。つまり、正規に契約された台数を超える映像受信装置による不正な視聴を制限することができる。
【０１３０】
なお、本実施の形態２では、副契約映像受信装置１８で電源ＯＮを検出したことと主契約映像受信装置１７との接続を検出したこととを認識した際に、主契約映像受信装置１７に主副接続識別情報の送信を要求することとしたが、主契約映像受信装置１７が副契約映像受信装置１８との接続を検出したこととを認識した際に、副契約映像受信装置１８からの要求なしに副契約映像受信装置１８に主副接続識別情報を送信するようにしても構わない。
【０１３１】
（実施の形態３）
図５は、本発明の実施の形態３のケーブルテレビ受信システムにおける、主契約映像受信装置１９と副契約映像受信装置２５との接続を示すブロック図である。図２および図４と同じ構成部分には、同じ符号を用いており、それらについては説明を省略する。
【０１３２】
本実施の形態３のケーブルテレビ受信システムの接続構成も、図１に示す実施の形態１と同様の構成であり、１台の主契約映像受信装置１９が、１台以上の副契約映像受信装置２５のそれぞれと宅内ネットワーク１５で接続される。そして、主契約映像受信装置１９、副契約映像受信装置２５のそれぞれにケーブルテレビ回線１４が接続される。
【０１３３】
図５において、主契約映像受信装置１９は、図２に示した主契約映像受信装置１２の構成に加えて、主副接続識別情報保持部５０、主副接続識別情報要求部８１、主副接続識別情報受信部８２、主副接続識別情報一致検出部８３、および主副接続識別情報一致情報送信部８４を備えている。
【０１３４】
主副接続識別情報要求部８１は、副契約映像受信装置２５に対して主副接続識別情報を要求し、主副接続識別情報受信部８２は、副契約映像受信装置２５からの主副接続識別情報を受信する。そして、主副接続識別情報一致検出部８３は、主副接続識別情報受信部８２で受信した主副接続識別情報と、主副接続識別情報保持部５０に保持している主副接続識別情報との一致を検出する。主副接続識別情報一致情報送信部８４は、主副接続識別情報一致検出部８３で検出した一致／不一致を示す主副接続識別情報一致検出情報を副契約映像受信装置２５に送信する。
【０１３５】
なお、主副接続識別情報一致検出情報が、本発明の判定情報の一例にあたり、主副接続識別情報一致情報送信部８４が、本発明の判定情報送信ユニットの一例にあたる。
【０１３６】
図５において、副契約映像受信装置２５は、図２に示した副契約映像受信装置１３の構成に加えて、主副接続識別情報保持部６０、主副接続識別情報要求受信部９１、主副接続識別情報送信部９２、および主副接続識別情報一致検出情報受信部９３を備えている。
【０１３７】
主副接続識別情報要求受信部９１は、主契約映像受信装置１９からの主副接続識別情報要求を受信する。そして、主副接続識別情報送信部９２は、主契約映像受信装置１９からの主副接続識別情報要求に応じて、主副接続識別情報保持部６０に保持している主副接続識別情報を主契約映像受信装置１９に送信する。そして、主副接続識別情報一致検出情報受信部９３は、主契約映像受信装置１９から送信されてくる主副接続識別情報一致検出情報を受信する。
【０１３８】
なお、主副接続識別情報送信部９２が、本発明の第２の識別情報送信ユニットの一例にあたる。また、主副接続識別情報一致検出情報受信部９３が、本発明の判定情報受信ユニットおよび映像受信制御ユニットの一例にあたる。
【０１３９】
次に、本実施の形態３のケーブル受信システムで、ケーブルテレビ局１０からの放送映像を主契約映像受信装置１９および副契約映像受信装置２５で受信する動作について説明する。
【０１４０】
主契約映像受信装置１９で放送映像を受信する動作と、主契約映像受信装置１９と宅内ネットワーク１５によって接続されていない場合の副契約映像受信装置２５で放送映像を受信する動作とは、実施の形態１の動作と同一であり、その説明を省略する。
【０１４１】
以下に、宅内ネットワーク１５によって、主契約映像受信装置１９と接続されている場合の、副契約映像受信装置２５で放送映像を受信する動作について説明する。主契約映像受信装置１９と副契約映像受信装置２５のそれぞれが保持している主副接続識別情報が一致している場合と、一致していない場合の、それぞれの動作について説明する。
【０１４２】
まず、主契約映像受信装置１９と副契約映像受信装置２５がそれぞれ保持している主副接続識別情報が一致している場合の、副契約映像受信装置２５で放送映像を受信する動作について説明する。
【０１４３】
副契約映像受信装置２５で映像を受信するために電源スイッチ部３０をＯＮすると、電源検出部３１は、電源スイッチ部３０がＯＮ状態になったことを検出する。そして、宅内接続部３２は、電源検出部３１が電源がＯＮになったことを検出すると、主契約映像受信装置１９と宅内ネットワーク１５で接続する。
【０１４４】
主契約映像受信装置１９の宅内接続部２０が、宅内ネットワーク１５で副契約映像受信装置２５との接続を検出したことを認識すると、主副接続識別情報要求部８１は、宅内ネットワーク１５を介して、副契約映像受信装置２５に主副接続識別情報の送信を要求する。
【０１４５】
副契約映像受信装置２５の主副接続識別情報要求受信部９１は、主契約映像受信装置１９からの主副接続識別情報要求を受信する。主副接続識別情報要求受信部９１が主契約映像受信装置１９からの主副接続識別情報要求を受信すると、主副接続識別情報送信部９２は、主副接続識別情報保持部６０に保持している固有の主副接続識別情報を主契約映像受信装置１９に送信する。
【０１４６】
主契約映像受信装置１９の主副接続識別情報受信部８２が副契約映像受信装置２５からの主副接続識別情報を受信すると、主副接続識別情報一致検出部８３は、主副接続識別情報受信部８２で受信した主副接続識別情報と主副接続識別情報保持部５０に保持している主副接続識別情報とを比較し、それらが一致していることを検出する。そして、主副接続識別情報一致情報送信部８４は、主副接続識別情報一致検出部８３が検出した「副契約映像受信装置２５との主副接続識別情報が一致」を示す主副接続識別情報一致検出情報を、副契約映像受信装置２５に送信する。
【０１４７】
副契約映像受信装置２５の主副接続識別情報一致検出情報受信部９３は、主契約映像受信装置１９からの主副接続識別情報一致検出情報を受信すると、「主契約映像受信装置１９との主副接続識別情報が一致」を、放送映像チューナ部３４に通知する。
【０１４８】
放送映像チューナ部３４は、ケーブルテレビ回線１４によってケーブルテレビ局１０から配信される放送映像を受信し、主副接続識別情報一致検出情報受信部９３からの「主契約映像受信装置１９との主副接続識別情報が一致」の通知により、暗号化された全ての映像を視聴するための選曲を行なう。
【０１４９】
ＣＡＳ復号部３５は、放送映像チューナ部３４で選局された放送映像を、ＣＡＳ（限定受信システム）の復号情報である鍵情報を使用して復号する。そして、映像デコード処理部３６が、ＣＡＳ復号部３５で復号された映像信号のデコード処理をし、映像デコード処理部３６でデコードされた表示用データが表示データ出力部３８から出力され、映像表示部３７でその映像が表示される。
【０１５０】
次に、主契約映像受信装置１９と副契約映像受信装置２５がそれぞれ保持している主副接続識別情報が一致していない場合の、副契約映像受信装置２５で放送映像を受信する動作について説明する。
【０１５１】
副契約映像受信装置２５で映像を受信するために電源スイッチ部３０をＯＮすると、電源検出部３１は、電源スイッチ部３０がＯＮ状態になったことを検出する。そして、宅内接続部３２は、電源検出部３１が電源がＯＮになったことを検出すると、主契約映像受信装置１９と宅内ネットワーク１５で接続する。
【０１５２】
主契約映像受信装置１２の宅内接続部２０が、宅内ネットワーク１５で副契約映像受信装置２５との接続を検出したことを認識すると、主副接続識別情報要求部８１は、宅内ネットワーク１５を介して、副契約映像受信装置２５に主副接続識別情報の送信を要求する。
【０１５３】
副契約映像受信装置２５の主副接続識別情報要求受信部９１は、主契約映像受信装置１９からの主副接続識別情報要求を受信する。主副接続識別情報要求受信部９１が主契約映像受信装置１９からの主副接続識別情報要求を受信すると、主副接続識別情報送信部９２は、主副接続識別情報保持部６０に保持している固有の主副接続識別情報を主契約映像受信装置１９に送信する。
【０１５４】
主契約映像受信装置１９の主副接続識別情報受信部８２が副契約映像受信装置２５からの主副接続識別情報を受信すると、主副接続識別情報一致検出部８３は、主副接続識別情報受信部８２で受信した主副接続識別情報と主副接続識別情報保持部５０に保持している主副接続識別情報とを比較し、それらが一致していないことを検出する。そして、主副接続識別情報一致情報送信部８４は、主副接続識別情報一致検出部８３が検出した「副契約映像受信装置２５との主副接続識別情報が不一致」を示す主副接続識別情報一致検出情報を、副契約映像受信装置２５に送信する。
【０１５５】
副契約映像受信装置２５の主副接続識別情報一致検出情報受信部９３は、主契約映像受信装置１９からの主副接続識別情報一致検出情報を受信すると、「主契約映像受信装置１９との主副接続識別情報が不一致」を、放送映像チューナ部３４に通知する。
【０１５６】
放送映像チューナ部３４は、ケーブルテレビ回線１４によってケーブルテレビ局１０から配信される放送映像を受信し、主副接続識別情報一致検出情報受信部９３からの「主契約映像受信装置１９との主副接続識別情報が不一致」の通知により、暗号化された固定映像を視聴するための選曲を行なう。
【０１５７】
ＣＡＳ復号部３５は、放送映像チューナ部３４で選局された放送映像を、ＣＡＳ（限定受信システム）の復号情報である鍵情報を使用して復号する。そして、映像デコード処理部３６が、ＣＡＳ復号部３５で復号された固定チャンネルの放送映像のデコード処理をし、映像デコード処理部３６でデコードされた表示用データが表示データ出力部３８から出力され、映像表示部３７でその映像が表示される。
【０１５８】
また、上記で説明した主契約映像受信装置１９および副契約映像受信装置２５の各ブロックにおける処理は、ハードウェアで実現するようにしてもよいし、ソフトウェアで実現するようにしてもよい。
【０１５９】
例えば、主副接続識別情報一致情報送信部８４の処理を、ＣＰＵによって実行されるプログラムで実現させる場合には、主副接続識別情報一致検出部８３が主副接続識別情報の比較結果である「主副接続識別情報の一致／不一致」フラグをメモリ上の所定の領域に書き込むとともに、主副接続識別情報一致情報送信部８４の処理を開始させる。そして、主副接続識別情報一致情報送信部８４は、メモリ上に書き込まれた「主副接続識別情報の一致／不一致」フラグを読み込み、宅内ネットワーク１５を介して副契約映像受信装置２５に送信するための送信バッファに、その「主副接続識別情報の一致／不一致」情報を書き込むなどすることにより実現できる。
【０１６０】
また例えば、主副接続識別情報送信部９２の処理を、ＣＰＵによって実行されるプログラムで実現させる場合には、主副接続識別情報要求受信部９１が主契約映像受信装置１９からの主副接続識別情報要求を受信した際に、主副接続識別情報送信部９２の処理を開始させるようにしておき、主副接続識別情報送信部９２が、主副接続識別情報保持部６０としてのメモリ上の所定の領域に書き込まれている主副接続識別情報を読み込み、宅内ネットワーク１５を介して主契約映像受信装置１９に送信するための送信バッファに、その主副接続識別情報を書き込むなどすることにより実現できる。
【０１６１】
また例えば、主副接続識別情報一致検出情報受信部９３の処理を、ＣＰＵによって実行されるプログラムで実現させる場合には、「主副接続識別情報の一致／不一致」情報が受信バッファに格納された際に、主副接続識別情報一致検出情報受信部９３の処理を開始させるようにしておく。そして、主副接続識別情報一致検出情報受信部９３は、受信バッファに格納された「主副接続識別情報の一致／不一致」情報を読み込み、「主副接続識別情報の一致／不一致」情報に対応する「主副接続識別情報の一致／不一致」フラグをメモリの所定の領域に書き込み、放送映像チューナ部３４が、その「主副接続識別情報の一致／不一致」フラグを読み込んで、そのフラグの状態に応じて動作するなどにより実現できる。
【０１６２】
本実施の形態３のケーブルテレビ受信システムを用いることにより、視聴者は主契約映像受信装置１９で全ての映像を受信し、視聴することができる。また、主契約映像受信装置１９と宅内ネットワーク１５で接続されており、保持する主副接続識別情報が一致している副契約映像受信装置では主契約映像受信装置１９と同様に、副契約映像受信装置でも全ての映像を受信し、視聴することができるが、主契約映像受信装置１９と宅内ネットワーク１５で接続されていないか、宅内ネットワーク１５で接続されてはいるが、保持する主副接続識別情報が一致していない副契約映像受信装置ではケーブルテレビ回線１４上の固定の放送映像しか受信できなく、視聴を制御することができる。
【０１６３】
なお、本実施の形態３では、主契約映像受信装置１９が副契約映像受信装置２５と宅内ネットワーク１５での接続を検出した際に、副契約映像受信装置２５に主副接続識別情報の送信を要求することとしたが、副契約映像受信装置２５が、電源ＯＮを検出したことと主契約映像受信装置１９との接続を検出したこととを認識した際に、主契約映像受信装置１９からの要求なしに主副接続識別情報送信部９２が、主契約映像受信装置１９に主副接続識別情報を送信するようにしても構わない。
【０１６４】
なお、各実施の形態の主契約映像受信装置および副契約映像受信装置とは、例えば、ケーブルテレビ用のＳＴＢである。
【０１６５】
各実施の形態では、各映像受信装置に映像表示部を備える構成で説明したが、映像受信装置内に映像表示部を設けない構成であってもよい。その場合には、例えば、表示データ出力部に接続されるコネクタにテレビなどを接続して、デコードした映像を表示させる。
【０１６６】
また、各実施の形態では、ＣＡＳ復号部を各映像受信装置に備える構成で説明したが、ＣＡＳ復号部も、映像受信装置内に設けない構成であってもよい。その場合、例えば、映像受信装置に挿入するＣＡＳカードを利用してＣＡＳの復号処理を行う。
【０１６７】
また、各副契約映像受信装置がＣＡＳ復号部を備えており、ＣＡＳ復号の機能を有しているので、主契約映像受信装置と副契約映像受信装置間での暗号化キーの受け渡しを行う必要がない。つまり、各映像受信装置間でＣＡＳの暗号化キーを共有する必要が無いので、各実施の形態のケーブルテレビ受信システムは、アナログ放送だけではなく、デジタル放送にも適用できる。
【０１６８】
また、各実施の形態では、主契約映像受信装置と副契約映像受信装置間を接続する宅内ネットワーク１５を、ケーブルテレビ回線１４とは異なるケーブルで接続するように記載したが、ケーブルテレビ回線１４を利用して、この宅内ネットワークを構成するようにしてもよい。この場合には、主契約映像受信装置と副契約映像受信装置間の通信には、放送番組データ等のケーブルテレビ局からのデータに使用される周波数帯とは異なる周波数帯を使用する。なお、この場合には、主契約映像受信装置と副契約映像受信装置間の通信は、分配器を介して行われることになる。なお、この場合のケーブルテレビ回線１４は、本発明の、映像信号を配信するための配線の一例にあたる。
【０１６９】
また、主契約映像受信装置と副契約映像受信装置間を接続する宅内ネットワークは、有線に限らず、無線で接続するようにしてもよい。
【０１７０】
また、図３で説明したように、主契約映像受信装置に必要な機能と副契約映像受信装置に必要な機能を兼ね備えた映像受信装置を用いて、自身が主契約映像受信装置か副契約映像受信装置かを判別できる機能を持たせることにより、実施の形態２および実施の形態３における主契約映像受信装置と副契約映像受信装置も、同じ構成の映像受信装置を用いることができる。
【０１７１】
図７に示すような、特許文献１の端末間制御システムの副契約映像受信装置は、主契約映像受信装置と接続しなければ受信ができないため専用の装置としなければならなかったが、本発明の副契約映像受信装置は、単独で放送番組データを受信できる機能を有しているので、このように主契約映像受信装置と共用でき、汎用の装置とすることができる。
【０１７２】
なお、本発明のプログラムは、上述した本発明の副契約映像受信装置の、前記ネットワークで前記主契約映像受信装置と未接続の場合には、限定された所定のチャンネルの映像信号を前記映像受信チューナユニットに受信させる前記映像受信制御ユニットの機能をコンピュータにより実行させるためのプログラムであって、コンピュータと協働して動作するプログラムである。
【０１７３】
また、本発明の記録媒体は、上述した本発明の副契約映像受信装置の、前記ネットワークで前記主契約映像受信装置と未接続の場合には、限定された所定のチャンネルの映像信号を前記映像受信チューナユニットに受信させる前記映像受信制御ユニットの機能をコンピュータにより実行させるためのプログラムを記録した記録媒体であり、コンピュータにより読み取り可能かつ、読み取られた前記プログラムが前記コンピュータと協働して利用される記録媒体である。
【０１７４】
また、本発明のプログラムは、上述した本発明の映像受信システムの、前記副契約映像受信装置からの前記第１の識別情報の要求に応じて前記第１の識別情報を送信する前記識別情報送信ユニット、前記ネットワークにおける前記主契約映像受信装置との接続を検出した際に、前記主契約映像受信装置に前記第１の識別情報の送信要求を送信する前記識別情報要求ユニット、前記ネットワークで前記主契約映像受信装置と接続が検出されていても、前記第１の識別情報と前記第２の識別情報とが一致しなかった場合には限定された所定のチャンネルの映像信号を前記映像受信チューナユニットに受信させる前記映像受信制御ユニットの機能をコンピュータにより実行させるためのプログラムであって、コンピュータと協働して動作するプログラムである。
【０１７５】
また、本発明の記録媒体は、上述した本発明の映像受信システムの、前記副契約映像受信装置からの前記第１の識別情報の要求に応じて前記第１の識別情報を送信する前記識別情報送信ユニット、前記ネットワークにおける前記主契約映像受信装置との接続を検出した際に、前記主契約映像受信装置に前記第１の識別情報の送信要求を送信する前記識別情報要求ユニット、前記ネットワークで前記主契約映像受信装置と接続が検出されていても、前記第１の識別情報と前記第２の識別情報とが一致しなかった場合には限定された所定のチャンネルの映像信号を前記映像受信チューナユニットに受信させる前記映像受信制御ユニットの機能をコンピュータにより実行させるためのプログラムを記録した記録媒体であり、コンピュータにより読み取り可能かつ、読み取られた前記プログラムが前記コンピュータと協働して利用される記録媒体である。
【０１７６】
また、本発明のプログラムは、上述した本発明の映像受信システムの、前記第２の識別情報と前記第１の識別情報とが一致しているか否かを示す判定情報を前記副契約映像受信装置に送信する前記判定情報送信ユニット、前記ネットワークにおける前記主契約映像受信装置との接続を検出した際に、前記主契約映像受信装置に前記第２の識別情報を送信する前記第２の識別情報送信ユニット、前記ネットワークで前記主契約映像受信装置と接続が検出されていても、前記主契約映像受信装置から受信した前記判定情報が前記第２の識別情報と前記第１の識別情報との不一致を示す場合には、限定された所定のチャンネルの映像信号を前記映像受信チューナユニットに受信させる前記映像受信制御ユニットの機能をコンピュータにより実行させるためのプログラムであって、コンピュータと協働して動作するプログラムである。
【０１７７】
また、本発明の記録媒体は、上述した本発明の映像受信システムの、前記第２の識別情報と前記第１の識別情報とが一致しているか否かを示す判定情報を前記副契約映像受信装置に送信する前記判定情報送信ユニット、前記ネットワークにおける前記主契約映像受信装置との接続を検出した際に、前記主契約映像受信装置に前記第２の識別情報を送信する前記第２の識別情報送信ユニット、前記ネットワークで前記主契約映像受信装置と接続が検出されていても、前記主契約映像受信装置から受信した前記判定情報が前記第２の識別情報と前記第１の識別情報との不一致を示す場合には、限定された所定のチャンネルの映像信号を前記映像受信チューナユニットに受信させる前記映像受信制御ユニットの機能をコンピュータにより実行させるためのプログラムを記録した記録媒体であり、コンピュータにより読み取り可能かつ、読み取られた前記プログラムが前記コンピュータと協働して利用される記録媒体である。
【０１７８】
また、本発明のプログラムの一利用形態は、コンピュータにより読み取り可能な記録媒体に記録され、コンピュータと協働して動作する態様であっても良い。
【０１７９】
また、記録媒体としては、ＲＯＭ等が含まれる。
【０１８０】
また、上述した本発明のコンピュータは、ＣＰＵ等の純然たるハードウェアに限らず、ファームウェアや、ＯＳ、更に周辺機器を含むものであっても良い。
【０１８１】
なお、以上説明した様に、本発明の構成は、ソフトウェア的に実現しても良いし、ハードウェア的に実現しても良い。
【０１８２】
以上に説明したように、本発明の映像受信システムを用いることにより、複数契約したケーブルテレビの映像受信装置のうち、主契約映像受信装置と副契約映像受信装置の各映像受信装置が固有情報を保持し、宅内ネットワークにより接続され、副契約映像受信装置の電源ＯＮにした場合に、リンク未確立や固有情報が不一致である場合、受信チューナを自動的に事業者の広告番組用のチャネルに選局することで、通常の放送番組チャネルを受信できなくさせ、副契約映像受信装置の不正使用を排除するとともに、正常使用の告知と勧誘広告放送映像を送信することで事業者の加入者拡大を図ることができる。
【産業上の利用可能性】
【０１８３】
本発明にかかる映像受信システム、副契約映像受信装置、映像受信方法等は、不正な映像受信装置による視聴を制限でき、視聴制限時に特定のチャンネルの映像のみ視聴可能にする効果を有し、ケーブルテレビ局から放送される番組を受信する映像受信システム、副契約映像受信装置、映像受信方法等として有用である。
【図面の簡単な説明】
【０１８４】
【図１】本発明の実施の形態１のケーブルテレビ受信システムの接続構成図
【図２】本発明の実施の形態１のケーブルテレビ受信システムにおける、主契約映像受信装置と副契約映像受信装置との接続を示すブロック図
【図３】本発明の実施の形態１の、同じ構成の映像受信装置を主契約映像受信装置および副契約映像受信装置として用いる場合のケーブルテレビ受信システムの接続を示すブロック図
【図４】本発明の実施の形態２のケーブルテレビ受信システムにおける、主契約映像受信装置と副契約映像受信装置との接続を示すブロック図
【図５】本発明の実施の形態３のケーブルテレビ受信システムにおける、主契約映像受信装置と副契約映像受信装置との接続を示すブロック図
【図６】（ａ）従来のケーブルテレビ受信システムで、正常な使用をしている場合の接続構成図、（ｂ）従来のケーブルテレビ受信システムで、未契約者が不当に安い料金で視聴するという不正な使用をする場合の接続構成図
【図７】従来の端末間制御システムにおける、副契約映像受信装置での視聴を制限する方法を説明するブロック図
【符号の説明】
【０１８５】
１０  ケーブルテレビ局
１１  加入契約者宅
１２、１７、１９、４０  主契約映像受信装置
１３、１６、１８、２５、４１  副契約映像受信装置
１４  ケーブルテレビ回線
１５  宅内ネットワーク
２０、３２、４２  宅内接続部
２１、３４、４３  放送映像チューナ部
２２、３５、４４  ＣＡＳ復号部
２３、３６、４５  映像デコード処理部
２４、３７、４６  映像表示部
２６、３８、５３  表示データ出力部
３０、４７  電源スイッチ部
３１、４８  電源検出部
３３、４９  主契約接続検出部
５０、６０  主副接続識別情報保持部
５１、９１  主副接続識別情報要求受信部
５２、９２  主副接続識別情報送信部
５５  主副切り替えＳＷ
６１、８１  主副接続識別情報要求部
６２、８２  主副接続識別情報受信部
６３、８３  主副接続識別情報一致検出部
８４  主副接続識別情報一致情報送信部
９３  主副接続識別情報一致検出情報受信部
【図１】
2008167324.tif 000003
【図２】
2008167324.tif 000004
【図３】
2008167324.tif 000005
【図４】
2008167324.tif 000006
【図５】
2008167324.tif 000007
【図６】
2008167324.tif 000008
【図７】
2008167324.tif 000009